(57)【要約】【課題】使用過程において収容手段内に導入される空気を殺菌及び消毒することができ、衛生状態を容易に維持することができる飲料供給装置を提供する。【解決手段】装置本体１と、所定量の飲料を収容する収容手段２と、所定の操作によって収容手段２で収容された飲料を任意の量だけ吐出させ得る吐出手段（３、４）とを具備した飲料供給装置において、オゾンを生成し得るオゾン生成手段５を具備し、当該オゾン生成手段５で生成されたオゾンを収容手段２内に導入可能とされたものである。【選択図】図２
2018135109.tif 000002
【特許請求の範囲】
【請求項１】
装置本体と、
所定量の飲料を収容する収容手段と、
所定の操作によって前記収容手段で収容された飲料を任意の量だけ吐出させ得る吐出手段と、
を具備した飲料供給装置において、
オゾンを生成し得るオゾン生成手段を具備し、当該オゾン生成手段で生成されたオゾンを前記収容手段内に導入可能とされたことを特徴とする飲料供給装置。
【請求項２】
前記吐出手段で吐出した飲料と略同等体積分の空気を前記収容手段内に導入可能な空気取り入れ部を有するとともに、前記オゾン生成手段で生成されたオゾンを当該空気取り入れ部に供給して前記収容手段内に導入可能とされたことを特徴とする請求項１記載の飲料供給装置。
【請求項３】
前記収容手段は、所定量の飲料が収容されたボトル又は袋体から成り、前記装置本体に脱着して交換可能とされたことを特徴とする請求項１又は請求項２記載の飲料供給装置。
【請求項４】
前記装置本体に配設され、前記収容手段及び吐出手段にそれぞれ連通され、前記収容手段内の飲料を所定量導入して収容しつつ前記吐出手段から吐出可能な内部タンクを具備するとともに、前記オゾン生成手段で生成されたオゾンが当該内部タンクに形成された空気取り入れ部から導入可能とされたことを特徴とする請求項１〜３の何れか１つに記載の飲料供給装置。
【請求項５】
前記オゾン生成手段で生成されたオゾンを前記収容手段内に導入させるためのオゾン用ポンプを具備するとともに、当該オゾン用ポンプを連続的又は間欠的に駆動させることを特徴とする請求項１〜４の何れか１つに記載の飲料供給装置。
【発明の詳細な説明】
【技術分野】
【０００１】
本発明は、所定の操作によって収容手段で収容された飲料を任意の量だけ吐出させて提供し得る飲料供給装置に関するものである。
【背景技術】
【０００２】
近時において、任意の量の飲料水などを提供するウォータサーバなどの飲料供給装置が普及しつつある。かかる飲料供給装置は、例えば特許文献１等にて開示されているように、飲料水を収容した収容手段（ボトルや袋体等）を装置本体に取り付け、コック等に対する任意操作によって吐出口から任意の量だけ飲料水を吐出させるとともに、収容手段内の飲料水が不足した場合、当該収容手段を装置本体から取り外し、新たな収容手段に交換可能とされている。
【先行技術文献】
【特許文献】
【０００３】
【特許文献１】特開２０１６−８４１５９号公報
【発明の概要】
【発明が解決しようとする課題】
【０００４】
しかしながら、上記従来技術においては、収容手段内の飲料が吐出した略同等体積分の空気が当該収容手段内に導入されるので、使用過程において、収容手段内には導入された空気が溜まった状態とされている。この収容手段内の空気は、飲料供給装置が設置された室内の空気であることから、必ずしも清浄でない場合が多く、カビや雑菌等が繁殖する可能性があり、十分な衛生状態を維持するのが困難とされていた。
【０００５】
本発明は、このような事情に鑑みてなされたもので、使用過程において収容手段内に導入される空気を殺菌及び消毒することができ、衛生状態を容易に維持することができる飲料供給装置を提供することにある。
【課題を解決するための手段】
【０００６】
請求項１記載の発明は、装置本体と、所定量の飲料を収容する収容手段と、所定の操作によって前記収容手段で収容された飲料を任意の量だけ吐出させ得る吐出手段とを具備した飲料供給装置において、オゾンを生成し得るオゾン生成手段を具備し、当該オゾン生成手段で生成されたオゾンを前記収容手段内に導入可能とされたことを特徴とする。
【０００７】
請求項２記載の発明は、請求項１記載の飲料供給装置において、前記吐出手段で吐出した飲料と略同等体積分の空気を前記収容手段内に導入可能な空気取り入れ部を有するとともに、前記オゾン生成手段で生成されたオゾンを当該空気取り入れ部に供給して前記収容手段内に導入可能とされたことを特徴とする。
【０００８】
請求項３記載の発明は、請求項１又は請求項２記載の飲料供給装置において、前記収容手段は、所定量の飲料が収容されたボトル又は袋体から成り、前記装置本体に脱着して交換可能とされたことを特徴とする。
【０００９】
請求項４記載の発明は、請求項１〜３の何れか１つに記載の飲料供給装置において、前記装置本体に配設され、前記収容手段及び吐出手段にそれぞれ連通され、前記収容手段内の飲料を所定量導入して収容しつつ前記吐出手段から吐出可能な内部タンクを具備するとともに、前記オゾン生成手段で生成されたオゾンが当該内部タンクに形成された空気取り入れ部から導入可能とされたことを特徴とする。
【００１０】
請求項５記載の発明は、請求項１〜４の何れか１つに記載の飲料供給装置において、前記オゾン生成手段で生成されたオゾンを前記収容手段内に導入させるためのオゾン用ポンプを具備するとともに、当該オゾン用ポンプを連続的又は間欠的に駆動させることを特徴とする。
【発明の効果】
【００１１】
請求項１の発明によれば、オゾンを生成し得るオゾン生成手段を具備し、当該オゾン生成手段で生成されたオゾンを収容手段内に導入可能とされたので、オゾンの殺菌消毒効果によって、使用過程において収容手段内に導入される空気を殺菌及び消毒することができ、衛生状態を容易に維持することができる。
【００１２】
請求項２の発明によれば、吐出手段で吐出した飲料と略同等体積分の空気を収容手段内に導入可能な空気取り入れ部を有するとともに、オゾン生成手段で生成されたオゾンを当該空気取り入れ部に供給して収容手段内に導入可能とされたので、収容手段内に導入される空気に対して確実にオゾンを混合させることができ、殺菌消毒効果をより確実に発揮させることができる。
【００１３】
請求項３の発明によれば、収容手段は、所定量の飲料が収容されたボトル又は袋体から成り、装置本体に脱着して交換可能とされたので、ボトル又は袋体から成る収容手段内に導入される空気を殺菌及び消毒することができる。
【００１４】
請求項４の発明によれば、装置本体に配設され、収容手段及び吐出手段にそれぞれ連通され、収容手段内の飲料を所定量導入して収容しつつ吐出手段から吐出可能な内部タンクを具備するとともに、オゾン生成手段で生成されたオゾンが当該内部タンクに形成された空気取り入れ部から導入可能とされたので、収容手段内に加え、内部タンク及び吐出手段の内部も殺菌消毒することができる。
【００１５】
請求項５の発明によれば、オゾン生成手段で生成されたオゾンを収容手段内に導入させるためのオゾン用ポンプを具備するとともに、当該オゾン用ポンプを連続的又は間欠的に駆動させるので、装置構成や収容手段の容量等に応じてオゾンを適宜タイミングで送り込むことができ、収容手段内の空気の殺菌消毒をより効率的に発揮させることができる。
【図面の簡単な説明】
【００１６】
【図１】本発明の実施形態に係る飲料供給装置を示す外観図であって（ａ）収容手段を取り付けた状態（ｂ）収容手段を取り外した状態を示す模式図
【図２】同飲料供給装置の内部構成を示す模式図
【図３】同飲料供給装置における収容手段内に空気が導入される様子を示す模式図
【図４】本発明の他の実施形態に係る飲料供給装置の内部構成を示す模式図
【発明を実施するための形態】
【００１７】
以下、本発明の実施形態について図面を参照しながら具体的に説明する。
本実施形態に係る飲料供給装置は、飲料（飲料水）としての温水及び冷水を任意量だけ提供可能なウォータサーバに適用されたもので、図１、２に示すように、装置本体１と、所定量の飲料を収容する収容手段２と、冷水用の吐出手段３と、温水用の吐出手段４と、オゾン生成手段５と、オゾン用ポンプ６と、冷水用の内部タンクＴ１と、温水用の内部タンクＴ２とを主に有して構成されている。
【００１８】
装置本体１は、本飲料供給装置の筐体を構成するもので、その上部には、収容手段２を取り付け可能な取付部１ａが形成されるとともに、正面には、冷水用の吐出手段３及び温水用の吐出手段４が取り付けられる凹部１ｂが形成されている。収容手段２は、所定量の飲料が収容されたボトル（容器）から成るもので、その吐出口２ａが下方を向いた状態（図２参照）にて装置本体１の取付部１ａに取り付けられ、内部の飲料を自重にて下方に導出可能とされている。
【００１９】
また、収容手段２内の飲料がなくなった場合、その収容手段２を取付部１ａから取り外し、内部に飲料が充填された新しい収容手段２を取付部１ａに取り付けることにより交換可能とされている。なお、本実施形態に係る収容手段２は、比較的硬質の樹脂で成形されたボトルから成るものとされているが、比較的軟質の樹脂で成形された可撓性の袋体から成るものとしてもよい。
【００２０】
装置本体１の内部には、冷水用の内部タンクＴ１及び温水用の内部タンクＴ２が配設されている。冷却用の内部タンクＴ１は、導入流路Ｌ１を介して収容手段２と連通されるとともに、吐出流路Ｌ３を介して吐出手段３と連通され、取付部１ａに取り付けられた収容手段２内の飲料を所定量導入して収容しつつ吐出手段３から吐出可能とされている。また、冷却用の内部タンクＴ１は、コンプレッサ１０及び放熱板１１と接続された冷却装置９を具備しており、収容手段２から導入した飲料水を所定温度に冷却し、その冷水を所定容量収容し得るものとされている。
【００２１】
温水用の内部タンクＴ２は、セパレータＬ２ａを有する連結流路Ｌ２を介して冷却用の内部タンクＴ１と接続されるとともに、吐出流路Ｌ４を介して吐出手段４と連通され、取付部１ａに取り付けられた収容手段２内の飲料を冷却用の内部タンクＴ１を介して所定量導入して収容しつつ吐出手段４から吐出可能とされている。また、温水用の内部タンクＴ２は、ヒータ１２を具備しており、収容手段２から導入した飲料水を所定温度に加熱し、その温水を所定容量収容し得るものとされている。
【００２２】
吐出手段３は、所定の操作によって収容手段２で収容された飲料水のうち冷水用のタンクＴ１内の冷水を任意の量だけ吐出口３ｂから吐出させ得るもので、本実施形態においては、操作手段としてコック３ａ（手動の閉止手段）を具備している。すなわち、コック３ａを揺動操作することにより、冷水用の内部タンクＴ１内の冷水が吐出流路Ｌ３から流出され、吐出口３ｂから吐出するので、当該吐出口３ｂの下方にコップ等の容器を保持しておくことにより、その容器内に冷水を提供することができるのである。なお、操作手段は、コック３ａに限らず、手動操作可能な他の形態のもの或いは電動操作可能なもの等であってもよい。
【００２３】
吐出手段４は、所定の操作によって収容手段２で収容された飲料水のうち温水用のタンクＴ２内の温水を任意の量だけ吐出口４ｂから吐出させ得るもので、本実施形態においては、操作手段としてコック４ａ（手動の閉止手段）を具備している。すなわち、コック４ａを揺動操作することにより、温水用の内部タンクＴ２内の温水が吐出流路Ｌ４から流出され、吐出口４ｂから吐出するので、当該吐出口４ｂの下方にコップ等の容器を保持しておくことにより、その容器内に温水を提供することができるのである。なお、操作手段は、コック４ａに限らず、手動操作可能な他の形態のもの或いは電動操作可能なもの等であってもよい。
【００２４】
さらに、本実施形態に係る冷却用の内部タンクＴ１には、吐出手段（冷水用の吐出手段３又は温水用の吐出手段４）で吐出した飲料水と略同等体積分の空気を収容手段２内に導入可能な空気取り入れ部７が形成されており、その空気取り入れ部７の開口部には、エアフィルタ８が取り付けられている。しかして、冷水用の吐出手段３又は温水用の吐出手段４から冷水又は温水が吐出されると、その吐出分だけエアフィルタ８で異物が捕捉された空気（外気）が収容手段２内に導入されるので、図３に示すように、導入された空気は、収容手段２内の液体層Ａ（飲料）内で気泡となって上昇し、空気層Ｂ内に至ることとなる。
【００２５】
ここで、本実施形態においては、オゾンを生成し得るオゾン生成手段５を具備し、当該オゾン生成手段５で生成されたオゾンを収容手段２内に導入可能とされている。具体的には、本実施形態においては、冷水用の内部タンクＴ１に形成された空気取り入れ部７に接続されたオゾン流路Ｌ５を有するとともに、そのオゾン流路Ｌ５にオゾン生成手段５及びオゾン用ポンプ６がそれぞれ取り付けられている。そして、オゾン用ポンプ６を駆動させることにより、オゾン生成手段５で生成されたオゾンがオゾン流路Ｌ５を介して空気取り入れ部７に供給され、そこから冷水用の内部タンクＴ１及び導入流路Ｌ１を介して外気と共に収容手段２内に導入されるようになっている。なお、導入されたオゾンは、収容手段２内において、空気と共に空気層Ｂに収容されることとなる。
【００２６】
オゾン生成手段５は、装置本体１内においてオゾン（Ｏ３）を生成し得るもので、例えば無声放電方式によるもの、コロナ放電方式によるもの、或いはいくつかの放電方式を組み合わせた複合放電方式によるもの等を用いることができる。具体的には、対向した２つの電極間に誘電体を置き、電極間に数千サイクルの交流高電圧を印加して放電（無声放電）を生じさせるとともに、電極間のギャップに空気（又は高濃度の酸素）を流通させるものが挙げられる。この場合、放電による加速電子の働きにより、酸素分子の一部が２つの酸素原子に解離し、その解離した酸素原子が他の酸素分子と反応してオゾンが生成されることとなる。
【００２７】
なお、放電方式とは異なる他の形態のオゾン生成手段５としてもよく、例えば紫外線ランプを用いる光化学化学法によりオゾンを生成可能なもの、電気分解を用いる電解法によりオゾンを生成可能なもの、活性炭を用いて吸着分解させる活性炭吸着分解法によりオゾンを生成可能なもの等としてもよい。このようなオゾン生成手段５にて生成したオゾンは、微生物（細菌、真菌など）や臭気物質に作用して、殺菌消毒及び脱臭の他、色素類の脱色も可能とされている。
【００２８】
オゾン用ポンプ６は、オゾン生成手段５で生成されたオゾンを空気取り入れ部７を介して収容手段２に導入させるためのポンプから成り、本飲料供給装置が稼働中において、連続的又は間欠的に駆動するようになっている。なお、オゾン用ポンプ６を適宜駆動又は停止させるようにしてもよく、例えば装置本体１の取付部１ａに収容手段２が取り付けられた状態であることを検知するセンサを具備し、当該収容手段２が取り付けられた状態に限ってオゾン用ポンプ６を駆動させるようにしてもよい。
【００２９】
上記実施形態によれば、オゾンを生成し得るオゾン生成手段５を具備し、当該オゾン生成手段５で生成されたオゾンを収容手段２内に導入可能とされたので、オゾンの殺菌消毒効果によって、使用過程において収容手段２内に導入される空気を殺菌及び消毒することができ、衛生状態を容易に維持することができる。なお、オゾン生成手段５或いはオゾン用ポンプ６は、装置本体１の内部に設置されるものに限らず、装置本体１の外部に設置して収容手段２内にオゾンを導入可能なものとしてもよい。
【００３０】
また、本実施形態においては、吐出手段（冷水用の吐出手段３又は温水用の吐出手段４）で吐出した飲料水と略同等体積分の空気を収容手段２内に導入可能な空気取り入れ部７を有するとともに、オゾン生成手段５で生成されたオゾンを当該空気取り入れ部７に供給して収容手段２内に導入可能とされたので、収容手段２内に導入される空気に対して確実にオゾンを混合させることができ、殺菌消毒効果をより確実に発揮させることができる。
【００３１】
さらに、本実施形態に係る収容手段２は、所定量の飲料水が収容されたボトル又は袋体から成り、装置本体１に脱着して交換可能とされたので、ボトル又は袋体から成る収容手段２内に導入される空気を殺菌及び消毒することができる。なお、収容手段２は、交換式のものに限らず、装置本体１に固定され、内部の飲料水を補充可能なものとしてもよい。
【００３２】
またさらに、装置本体１に配設され、収容手段２及び吐出手段３にそれぞれ連通され、収容手段２内の飲料水を所定量導入して収容しつつ吐出手段３から吐出可能な冷水用の内部タンクＴ１を具備するとともに、オゾン生成手段５で生成されたオゾンが当該冷水用の内部タンクＴ１に形成された空気取り入れ部７から導入可能とされたので、収容手段２内に加え、冷水用の内部タンクＴ１及び吐出手段３の内部も殺菌消毒することができる。なお、温水用の内部タンクＴ２に空気取り入れ部を形成し、その空気取り入れ部からオゾン生成手段５で生成されたオゾンが導入されるものとしてもよい。
【００３３】
また、オゾン生成手段５で生成されたオゾンを収容手段２内に導入させるためのオゾン用ポンプ６を具備するとともに、当該オゾン用ポンプ６を連続的又は間欠的に駆動させるので、装置構成や収容手段２の容量等に応じてオゾンを適宜タイミングで送り込むことができ（例えば、収容手段２の容量が大きい場合は連続的にオゾンを送り込み、容量が小さい場合は間欠的にオゾンを送り込む等）、収容手段２内の空気の殺菌消毒をより効率的に発揮させることができる。
【００３４】
以上、本実施形態について説明したが、本発明はこれらに限定されず、オゾンの供給部位は、他の適当な部位であってもよく、例えば図４に示すように、オゾン生成手段５及びオゾン用ポンプ６が配設されたオゾン流路Ｌ５を導入流路Ｌ１に接続し、当該導入流路Ｌ１を介して収容手段２内にオゾンを導入するものとしてもよい。また、本実施形態においては、冷却用の内部タンクＴ１及び温水用の内部タンクＴ２を有し、それぞれに冷水用の吐出手段３及び温水用の吐出手段４がそれぞれ形成された飲料供給装置に適用されているが、何れか一方の内部タンク及び吐出手段のみ形成された飲料供給装置に適用してもよい。
【００３５】
さらに、本実施形態においては収容手段２内に飲料水を収容したものとされているが、例えば珈琲やお茶等の他の飲料を収容したものとし、これら他の飲料を提供し得る飲料供給装置としてもよい。またさらに、本実施形態において、収容手段２の上下を反転し、吐出口２ａを下方に向けて装置本体１に取り付けられるよう構成されているが、吐出口２ａを上方に向けたまま収容手段２を取り付けて、内部の飲料をポンプ等を用いて内部タンクに送り込む構成であってもよい。
【００３６】
なお、本実施形態においては、オゾン用ポンプ６を駆動させてオゾン生成手段５で生成されたオゾンを強制的に収容手段２内に導入（具体的には冷却用の内部タンクＴ１を介して収容手段２内に導入）しているが、オゾン用ポンプ６を具備せず、空気取り入れ部７から取り入れられる空気の流入作用によって、オゾン生成手段５で生成されたオゾンが自然に収容手段２内に導入され得るよう構成してもよい。
【００３７】
また、適用される飲料供給装置は、冷水や温水に適宜の粉末（コーヒーや紅茶等を粉末状に加工したもの等）を自動的に混入及び溶解して飲料を作成し提供する自動販売機等であってもよく、提供する飲料として冷水や温水の他、常温水、水素水或いは炭酸水等であってもよい。
【産業上の利用可能性】
【００３８】
オゾンを生成し得るオゾン生成手段を具備し、当該オゾン生成手段で生成されたオゾンを収容手段内に導入可能とされた飲料供給装置であれば、外観形状が異なるもの或いは他の機能が付加されたもの等にも適用することができる。
【符号の説明】
【００３９】
１ａ  取付部
１ｂ  凹部
２  収容手段
３  冷水用の吐出手段
３ａ  コック（操作手段）
３ｂ  吐出口
４  温水用の吐出手段
４ａ  コック（操作手段）
４ｂ  吐出口
５  オゾン生成手段
６  オゾン用ポンプ
７  空気取り入れ部
８  エアフィルタ
９  冷却装置
１０  コンプレッサ
１１  放熱板
１２  ヒータ
Ｌ１  導入流路
Ｌ２  連通流路
Ｌ３、Ｌ４  吐出流路
Ｌ５  オゾン流路
Ｔ１  冷水用の内部タンク
Ｔ２  温水用の内部タンク
【図１】
2018135109.tif 000003
【図２】
2018135109.tif 000004
【図３】
2018135109.tif 000005
【図４】
2018135109.tif 000006
【手続補正書】
【提出日】平成30年1月4日(2018.1.4)
【手続補正１】
【補正対象書類名】明細書
【補正対象項目名】０００６
【補正方法】変更
【補正の内容】
【０００６】
請求項１記載の発明は、装置本体と、所定量の飲料を収容する収容手段と、所定の操作によって前記収容手段で収容された飲料を任意の量だけ吐出させ得る吐出手段と、前記吐出手段で吐出した飲料と略同等体積分の空気を前記収容手段内に導入可能な空気取り入れ部とを具備した飲料供給装置において、オゾンを生成し得るオゾン生成手段と、前記オゾン生成手段で生成されたオゾンを前記収容手段内に導入させるためのオゾン用ポンプとを具備し、前記空気取り入れ部による空気の導入経路とは別個に形成されたオゾン流路に前記オゾン生成手段及びオゾン用ポンプが取り付けられるとともに、当該オゾン生成手段で生成されたオゾンを前記オゾン用ポンプを駆動させることにより前記収容手段内に強制的に導入可能とされたことを特徴とする。
【手続補正２】
【補正対象書類名】明細書
【補正対象項目名】０００７
【補正方法】変更
【補正の内容】
【０００７】
請求項２記載の発明は、請求項１記載の飲料供給装置において、前記オゾン生成手段で生成されたオゾンを当該空気取り入れ部に供給して前記収容手段内に導入可能とされたことを特徴とする。
【手続補正３】
【補正対象書類名】明細書
【補正対象項目名】００１０
【補正方法】変更
【補正の内容】
【００１０】
請求項５記載の発明は、請求項１〜４の何れか１つに記載の飲料供給装置において、前記オゾン用ポンプを連続的又は間欠的に駆動させることを特徴とする。
【手続補正４】
【補正対象書類名】明細書
【補正対象項目名】００１２
【補正方法】変更
【補正の内容】
【００１２】
請求項２の発明によれば、オゾン生成手段で生成されたオゾンを当該空気取り入れ部に供給して収容手段内に導入可能とされたので、収容手段内に導入される空気に対して確実にオゾンを混合させることができ、殺菌消毒効果をより確実に発揮させることができる。
【手続補正５】
【補正対象書類名】明細書
【補正対象項目名】００１５
【補正方法】変更
【補正の内容】
【００１５】
請求項５の発明によれば、オゾン用ポンプを連続的又は間欠的に駆動させるので、装置構成や収容手段の容量等に応じてオゾンを適宜タイミングで送り込むことができ、収容手段内の空気の殺菌消毒をより効率的に発揮させることができる。
【手続補正６】
【補正対象書類名】明細書
【補正対象項目名】００３６
【補正方法】変更
【補正の内容】
【００３６】
なお、本実施形態においては、オゾン用ポンプ６を駆動させてオゾン生成手段５で生成されたオゾンを強制的に収容手段２内に導入（具体的には冷却用の内部タンクＴ１を介して収容手段２内に導入）している。
【手続補正７】
【補正対象書類名】明細書
【補正対象項目名】００３８
【補正方法】変更
【補正の内容】
【００３８】
オゾンを生成し得るオゾン生成手段と、オゾン生成手段で生成されたオゾンを収容手段内に導入させるためのオゾン用ポンプとを具備し、空気取り入れ部による空気の導入経路とは別個に形成されたオゾン流路にオゾン生成手段及びオゾン用ポンプが取り付けられるとともに、当該オゾン生成手段で生成されたオゾンをオゾン用ポンプを駆動させることにより収容手段内に強制的に導入可能とされた飲料供給装置であれば、外観形状が異なるもの或いは他の機能が付加されたもの等にも適用することができる。
【手続補正８】
【補正対象書類名】特許請求の範囲
【補正対象項目名】全文
【補正方法】変更
【補正の内容】
【特許請求の範囲】
【請求項１】
装置本体と、
所定量の飲料を収容する収容手段と、
所定の操作によって前記収容手段で収容された飲料を任意の量だけ吐出させ得る吐出手段と、
前記吐出手段で吐出した飲料と略同等体積分の空気を前記収容手段内に導入可能な空気取り入れ部と、
を具備した飲料供給装置において、
オゾンを生成し得るオゾン生成手段と、
前記オゾン生成手段で生成されたオゾンを前記収容手段内に導入させるためのオゾン用ポンプと、
を具備し、前記空気取り入れ部による空気の導入経路とは別個に形成されたオゾン流路に前記オゾン生成手段及びオゾン用ポンプが取り付けられるとともに、当該オゾン生成手段で生成されたオゾンを前記オゾン用ポンプを駆動させることにより前記収容手段内に強制的に導入可能とされたことを特徴とする飲料供給装置。
【請求項２】
前記オゾン生成手段で生成されたオゾンを当該空気取り入れ部に供給して前記収容手段内に導入可能とされたことを特徴とする請求項１記載の飲料供給装置。
【請求項３】
前記収容手段は、所定量の飲料が収容されたボトル又は袋体から成り、前記装置本体に脱着して交換可能とされたことを特徴とする請求項１又は請求項２記載の飲料供給装置。
【請求項４】
前記装置本体に配設され、前記収容手段及び吐出手段にそれぞれ連通され、前記収容手段内の飲料を所定量導入して収容しつつ前記吐出手段から吐出可能な内部タンクを具備するとともに、前記オゾン生成手段で生成されたオゾンが当該内部タンクに形成された空気取り入れ部から導入可能とされたことを特徴とする請求項１〜３の何れか１つに記載の飲料供給装置。
【請求項５】
前記オゾン用ポンプを連続的又は間欠的に駆動させることを特徴とする請求項１〜４の何れか１つに記載の飲料供給装置。